(57)【要約】【課題】無線中継装置の設置位置の決定を支援することができる無線中継装置および無線通信システムを提供する。【解決手段】親機４０と子機５０１との間の通信を中継する無線中継装置１０であって、親機４０と無線中継装置１０との間での通信における第一通信レベルと、子機５０１と無線中継装置１０との間での通信における第二通信レベルとを同時に報知する報知部１３を備える。【選択図】図２
2016163323.tif 000002
【特許請求の範囲】
【請求項１】
第一無線通信装置と第二無線通信装置との間の通信を中継する無線中継装置であって、
前記第一無線通信装置と前記無線中継装置との間での通信における第一通信レベルと、前記第二無線通信装置と前記無線中継装置との間での通信における第二通信レベルとを同時に報知する報知部を備える、
無線中継装置。
【請求項２】
前記報知部は、前記第一通信レベルを報知する第一報知部と、前記第二通信レベルを報知する第二報知部とを有する、
請求項１に記載の無線中継装置。
【請求項３】
前記報知部は、前記第二報知部を複数備える、
請求項２に記載の無線中継装置。
【請求項４】
前記無線中継装置は、さらに、
前記第一無線通信装置および前記第二無線通信装置から出力されるテストデータを用いて、前記第一無線通信装置を前記第一報知部に対応付け、前記第二無線通信装置を前記第二報知部に対応付ける報知制御部を備える、
請求項２または３に記載の無線中継装置。
【請求項５】
前記報知制御部は、前記第一通信レベルが確認されている前記第一無線通信装置および前記第二通信レベルが確認されている前記第二無線通信装置のうち、通信レベルの確認を行わない無線通信装置を指定する指示を受け付け、
前記報知制御部は、前記通信レベルの確認を行う無線通信装置を、前記第一報知部および前記第二報知部の一つに対応付ける、
請求項４に記載の無線中継装置。
【請求項６】
前記無線通信装置は、通常の無線通信を行う通常モードと、前記テストデータの受信による前記通信レベルの確認を行う通信レベルの確認モードを含む複数の動作モードで動作し、
前記報知制御部は、前記通信レベルの確認を行う無線通信装置について、前記通信レベルの確認モードで前記テストデータの受信および前記通信レベルの確認を行っているときにおいて、前記通信レベルの確認を行わない無線通信装置については、前記通常モードで無線通信を行う、
請求項５に記載の無線中継装置。
【請求項７】
前記報知部は、表示部であり、
前記表示部には、前記第一通信レベルと前記第二通信レベルとが同時に比較可能な状態で表示される、
請求項１〜６のいずれか１項に記載の無線中継装置。
【請求項８】
請求項１〜７のいずれか１項に記載の無線中継装置と、
前記第一無線通信装置と、
前記第二無線通信装置とを備える、
無線通信システム。
【発明の詳細な説明】
【技術分野】
【０００１】
本発明は、無線中継装置および無線通信システムに関する。
【背景技術】
【０００２】
複数の店舗が入居するビル等では、例えば、複数の店舗の各々の電力量を計測するために、複数の店舗の各々に電力計が設けられる。電力計は、例えば、計測したデータを、１分毎、１時間毎あるいは１日毎等、定期的に送信している。このような建築物では、複数の電力計により測定された複数の計測データを収集するデータ収集システムが構築される。
【０００３】
データ収集システムは、例えば、測定機器からのデータを受信する子機と、子機からデータを受信して（収集して）サーバに送信する親機とを備えている（例えば、特許文献１参照）。
【０００４】
なお、従来、親機と子機とは有線で接続されているが、例えば、最大４００ｍ等、有線長に限りがある。このため、親機と子機とを有線で接続する場合、有線長を超える位置にある子機からのデータを収集することは困難であるという問題がある。
【０００５】
これに対し、有線長を超える位置に子機を設置したい場合、親機と子機との間のデータ通信を中継する無線中継装置を設けることが考えられる。データ収集システムは、無線中継装置を設けることにより、有線長を超える位置に設置された子機からのデータを受信することが可能になる。
【先行技術文献】
【特許文献】
【０００６】
【特許文献１】特表２００７−５０７９４７号公報
【発明の概要】
【発明が解決しようとする課題】
【０００７】
しかしながら、無線中継装置の設置場所は、親機および子機の通信レベルを確認した上で決定する必要があるという問題がある。特に、親機および子機の数が多い場合には、無線中継装置の設置場所を決定するための作業が容易ではないという問題がある。
【０００８】
そこで、本発明は、無線中継装置の設置位置の決定を支援することができる無線中継装置および無線通信システムを提供することを目的とする。
【課題を解決するための手段】
【０００９】
上記目的を達成するため、本発明の一態様に係る無線中継装置は、第一無線通信装置と第二無線通信装置との間の通信を中継する無線中継装置であって、前記第一無線通信装置と前記無線中継装置との間での通信における第一通信レベルと、前記第二無線通信装置と前記無線中継装置との間での通信における第二通信レベルとを同時に報知する報知部を備える。
【発明の効果】
【００１０】
本発明の無線中継装置は、無線中継装置の設置位置の決定を支援することができる。
【図面の簡単な説明】
【００１１】
【図１】実施の形態の無線通信システムの構成の一例を示す図である。
【図２】実施の形態の無線中継装置の外観の一例を示す斜視図である。
【図３】実施の形態の無線中継装置の構成の一例を示すブロック図である。
【図４】変形例にかかる通信レベルの確認を説明する図である。
【発明を実施するための形態】
【００１２】
＜課題の詳細および本発明の基礎となった知見＞
上述したデータ収集システムでは、無線中継装置を設置する場合、一般的に、親機と無線中継装置との間における通信レベル、および、無線中継装置と子機との間における通信レベルが、無線通信が可能な基準レベル以上である必要がある。一般的に、これらの通信レベルは無線中継装置に接続されたＰＣ等の外部装置上に表示することができる。
【００１３】
この場合、無線中継装置の設置場所を決定するためには、無線中継装置を仮設置し、ＰＣ等に接続して通信レベルを確認する。そして、通信レベルが基準レベルを満たすまで、無線中継装置を仮設置し、ＰＣ等に接続して通信レベルを確認するという作業を繰り返し行うことになる。つまり、無線中継装置の設置場所の決定には手間がかかるという問題がある。
【００１４】
以下では、本発明の実施の形態に係る無線中継装置および無線通信システムについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１５】
また、各図は、模式図であり、必ずしも厳密に図示されたものではない。また、各図において、同じ構成部材については同じ符号を付している。
【００１６】
（実施の形態）
実施の形態の無線中継装置および無線通信システムについて、図１〜図４を用いて説明する。
【００１７】
［１．無線通信システムの構成］
図１は、無線通信システム１の構成の一例を示す図である。無線通信システム１は、本実施の形態では、メータユニット７０１〜７０ｎ（ｎは任意の正の整数）により測定されたデータを収集し、サーバ２０に送信するためのシステムである。
【００１８】
メータユニット７０１〜７０ｎは、本実施の形態では、電力計である場合を例に説明するが、水道使用量、ガス使用量、あるいは、気象データ等を測定する他の測定機器であっても構わない。
【００１９】
サーバ２０は、本実施の形態では、電力計において測定された測定データを収集して任意の処理を行うサーバである。任意の処理には、例えば、電力計が設置された施設別の電力使用量の集計等がある。なお、サーバ２０の機能は当該測定データの集計等に限られるものではない。
【００２０】
図１に示すように、無線通信システム１は、子機５０１〜５０ｎと、親機４０と、無線中継装置１０とを備えている。
【００２１】
［１−１．子機の構成および動作］
子機５０ｉ（ｉ＝１〜ｎ）は、無線中継装置１０との間で無線通信を行う第二無線通信装置の一例である。なお、子機５０１〜５０ｎの構成は、本実施の形態では、全て同じである。
【００２２】
図１に示すように、子機５０ｉは、メータユニット７０ｉに通信線６０ｉで接続されており、子機５０ｉとメータユニット７０ｉとは有線通信を行うことができる。
【００２３】
子機５０ｉは、少なくとも通常モードおよび通信レベルの確認モードの２つの動作モードで動作する。通信レベルの確認モードには、確認モードＭ１〜確認モードＭｍ（ｍは後述する第二表示部の数）が含まれる。子機５０ｉは、ディップスイッチあるいは有線により接続された外部機器による指示等により、通常モードと確認モードＭ１〜確認モードＭｍとを切り替えることができる。
【００２４】
通常モードでは、子機５０ｉは、メータユニット７０ｉにおいて測定されたデータを有線通信により受信する。子機５０ｉは、無線中継装置１０からのポーリングに応じて、無線中継装置１０に対して無線通信によりデータを送信する。
【００２５】
子機５０ｉは、予め登録された無線中継装置１０との間で無線通信を行うことができる。予め登録された無線中継装置１０であるか否かの判定は、予め記憶部（図示せず）に記憶された無線中継装置１０の識別情報と、受信したデータに含まれる識別情報とを比較して行う。予め記憶部に記憶された無線中継装置１０の識別情報と受信したデータに含まれる識別情報とが一致する場合に、無線通信可能な無線中継装置１０であると判定する。また、子機５０ｉは、受信した信号により示されるデータに子機５０ｉの識別情報が含まれる場合、および、受信した信号がブロードキャストの信号である場合に、子機５０ｉに向けて送信されたデータであると判定する。
【００２６】
通信レベルの確認モードでは、子機５０ｉは、通信レベル確認用のテストデータを無線通信により送信する。本実施の形態では、子機５０ｉが送信するテストデータには、宛先を示す情報（無線中継装置１０の識別情報あるいはブロードキャストであることを示す情報）、子機５０ｉの識別情報、および、設定された確認モードＭ１〜確認モードＭｍを示す情報が含まれる。
【００２７】
具体的には、子機５０ｉは、無線中継装置１０の識別情報が予め登録されている場合は、宛先を示す情報として、無線中継装置１０の識別情報をテストデータに含ませる。子機５０ｉは、無線中継装置１０の識別情報が予め登録されていない場合は、ブロードキャストであることを示す情報をテストデータに含ませる。
【００２８】
なお、通信レベルの確認モードでは、子機５０ｉは、通常のデータ送信は行わない。
【００２９】
［１−２．親機の構成］
親機４０は、無線中継装置１０との間で無線通信を行う第一無線通信装置の一例である。親機４０は、例えば、ＬＡＮ（Ｌｏｃａｌ  Ａｒｅａ  Ｎｅｔｗｏｒｋ）対応ユニットである。
【００３０】
図１に示すように、親機４０は、サーバ２０に通信線３０で接続されており、親機４０とサーバ２０とは有線通信を行うことができる。
【００３１】
親機４０は、少なくとも通常モードおよび通信レベルの確認モードの２つの動作モードで動作する。親機４０は、ディップスイッチあるいは有線により接続された外部機器による指示等により、通常モードと通信レベルの確認モードとを切り替えることができる。
【００３２】
通常モードでは、親機４０は、無線中継装置１０から無線通信によりメータユニット７０１〜７０ｎにより測定されたデータを受信する。さらに、親機４０は、受信したデータを有線通信によりサーバ２０に送信する。
【００３３】
親機４０は、予め登録された無線中継装置１０との間で無線通信を行うことができる。予め登録された無線中継装置１０であるか否かの判定は、予め記憶部（図示せず）に記憶された無線中継装置１０の識別情報と、受信したデータに含まれる識別情報とを比較して行う。予め記憶部に記憶された無線中継装置１０の識別情報と受信したデータに含まれる識別情報とが一致する場合に、無線通信可能な無線中継装置１０であると判定する。また、親機４０は、受信したデータに親機４０の識別情報が含まれる場合、および、受信した信号がブロードキャストの信号である場合に、親機４０に向けて送信されたデータであると判定する。
【００３４】
通信レベルの確認モードでは、親機４０は、通信レベル確認用のテストデータを無線通信により送信する。本実施の形態では、親機４０が送信するテストデータには、宛先を示す情報、および、親機４０の識別情報が含まれる。親機４０は、無線中継装置１０の識別情報が予め登録されている場合は、宛先を示す情報として、無線中継装置１０の識別情報をテストデータに含ませる。親機４０は、無線中継装置１０の識別情報が予め登録されていない場合は、ブロードキャストであることを示す情報をテストデータに含ませる。
【００３５】
なお、通信レベルの確認モードでは、親機４０は、通常のデータ送信は行わない。
【００３６】
［１−３．無線中継装置の構成］
無線中継装置１０は、親機と子機との間の無線通信を中継する装置であり、本実施の形態では、電池からの電力供給を受けて動作する。電池により動作するため、電源線に接続する（電源線を引く）必要がなく、設置する位置の自由度が向上する。図１に示すように、無線中継装置１０は、子機５０１〜５０ｎ、および、親機４０と無線通信を行うことができる。
【００３７】
無線中継装置１０は、少なくとも通常モードおよび通信レベルの確認モードの２つの動作モードで動作する。無線中継装置１０は、ディップスイッチあるいは有線により接続された外部機器による指示等により、通常モードと通信レベルの確認モードとを切り替えることができる。
【００３８】
通信レベルの確認モードでは、無線中継装置１０は、有線により接続された外部機器による指示等により、通信レベルの測定を行う機器（子機５０１〜５０ｎおよび親機４０）を予め登録しておくことができる。機器の登録では、機器の識別情報が登録される。
【００３９】
図２は、無線中継装置１０の外観の一例を示す斜視図である。図３は、無線中継装置１０の構成の一例を示すブロック図である。
【００４０】
図２および図３に示すように、無線中継装置１０は、アンテナ１２と、報知部１３と、無線通信部１４と、通信制御部１５と、通信レベル取得部１６と、報知制御部１７と、記憶部１８とを備えている。アンテナ１２は、一部が本体部１１の外部に設けられている。報知部１３は、本体部１１の外側から視認できるように本体部１１の正面に配置されている。無線通信部１４、通信制御部１５、通信レベル取得部１６、報知制御部１７および記憶部１８は、本体部１１の内部に収納されている。
【００４１】
［報知部］
報知部１３は、無線中継装置１０の状態を報知する。具体的には、報知部１３は、電源報知部Ｄｐ、第一報知部Ｄ１および第二報知部Ｄ２を備えている。
【００４２】
電源報知部Ｄｐは、電源の状態を報知する。電源報知部Ｄｐは、ここでは、１個のＬＥＤ（Ｌｉｇｈｔ  Ｅｍｉｔｔｉｎｇ  Ｄｉｏｄｅ）である。
【００４３】
第一報知部Ｄ１は、親機４０と無線中継装置１０との間での通信における第一通信レベルを報知する。第一報知部Ｄ１は、ここでは、第一通信レベルを表示する第一表示部Ｄ１０である。第一表示部Ｄ１０は、一列に並べられた複数のＬＥＤで構成されている。図２では、一例として、第一表示部Ｄ１０として１０のＬＥＤが、本体部１１の正面に横一列に配置される場合を示している。第一表示部Ｄ１０は、第一通信レベルを０〜１０段階で表示することができる。なお、第一表示部Ｄ１０を構成するＬＥＤの数は、任意に決定できる。
【００４４】
第二報知部Ｄ２は、子機５０１〜５０ｎと無線中継装置１０との間での通信における第二通信レベルを報知する。第二報知部Ｄ２は、子機５０１〜５０ｎの第二通信レベルを表示する第二表示部Ｄ２１〜Ｄ２ｍ（図２では、ｍ＝４）である。第二表示部Ｄ２１〜Ｄ２ｍの各々は、第一表示部Ｄ１０と同様に、一列に並べられた複数のＬＥＤで構成されている。図２では、一例として、第二表示部Ｄ２１として１０のＬＥＤが、本体部１１の正面に横一列に配置される場合を示している。第二表示部Ｄ２２〜Ｄ２４の構成は、第二表示部Ｄ２１と同じである。第二表示部Ｄ２１〜２４は、第一通信レベルを０〜１０段階で表示することができる。なお、第二表示部Ｄ２１〜Ｄ２ｍを構成するＬＥＤの数は、任意に決定できる。
【００４５】
また、第一表示部Ｄ１０と第二表示部Ｄ２１〜２４とは、縦一列に並べて配置されている。さらに、第一表示部Ｄ１０を構成するＬＥＤの数と第二表示部Ｄ２１〜２４の各々を構成するＬＥＤの数とは同じである。これにより、第一通信レベルと１または複数の第二通信レベルとを同時に、かつ、比較可能な状態で報知することができる。
【００４６】
なお、図２では、第二表示部Ｄ２１〜Ｄ２ｍの数ｍを４としているが、これに限るものではない。また、子機の数ｎが、第二表示部の数ｍ以下の場合は、子機５０ｉ（ｉ＝１〜ｎ）と第二表示部Ｄ２ｊ（ｊ＝１〜ｍ）とは１対１に対応させることができる。子機の数ｎが第二表示部の数ｍより大きい場合は、子機５０１〜５０ｎをｍ個ずつグループ分けし、子機の各グループと第二表示部Ｄ２１〜Ｄ２ｍとを時分割で対応させる。ｎがｍの倍数ではない場合、一部、子機に対応しない第二表示部Ｄ２ｊがあっても構わない。
【００４７】
［無線通信部］
無線通信部１４は、アンテナ１２が受信したアナログデータをデジタルデータに変換して出力する受信部（図示せず）、および、デジタルデータをアナログデータに変換してアンテナ１２に送信させる送信部（図示せず）を備えている。
【００４８】
［通信制御部］
通信制御部１５は、無線通信および有線通信の制御を行う。通信制御部１５は、通常モードにおいて、親機４０に対するデータ送信の制御、および、子機５０１〜５０ｎに対するポーリング等の通信の制御を行う。通信制御部１５は、通常モードにおいて、無線通信部１４が受信したデータが無線中継装置１０に向けて送信されたか否かの判定、送信するデータへの識別情報の付加等を行う。
【００４９】
通信制御部１５は、通信レベルの確認モードでは、テストデータの受信、および、受信したテストデータが無線中継装置１０に予め登録されている子機５０１〜５０ｎまたは親機４０からのデータであるか否かの確認を行う。
【００５０】
［通信レベル取得部］
通信レベル取得部１６は、通信レベルの確認モードにおいて、通信制御部１５により無線中継装置１０に予め登録されている機器（子機５０１〜５０ｎおよび親機４０）のテストデータであると判定された信号の通信レベルを取得する。
【００５１】
通信レベルは、例えば、受信した信号（パケット）のＲＳＳＩ（Ｒｅｃｅｉｖｅｄ  Ｓｉｇｎａｌ  Ｓｔｒｅｎｇｔｈ  Ｉｎｄｉｃａｔｉｏｎ、受信信号強度）の値、あるいは、通信成功率等を用いて決定する。ＲＳＳＩ値は、例えば、電界強度計によりアンテナに誘起された電圧を測定することにより取得できる。通信成功率は、子機５０１〜５０ｎまたは親機４０が一定期間ごとにテストデータを送信するように構成されている場合に、一定期間内におけるテストデータの送信回数と受信の成功回数との比、あるいは、一定期間内における受信の成功回数等によって表わすことができる。
【００５２】
なお、通信レベル取得部１６は、通常モードにおいても、予め登録された機器により送信されたデータの通信レベルを取得するように構成しても構わない。
【００５３】
［報知制御部］
報知制御部１７は、ここでは、電源報知部Ｄｐ、第一報知部Ｄ１および第二報知部Ｄ２を構成するＬＥＤの点灯および消灯を制御する。報知制御部１７は、無線中継装置１０が電源ＯＮ状態のときに電源報知部Ｄｐを構成するＬＥＤを点灯させ、電源ＯＦＦ状態のときに電源報知部Ｄｐを構成するＬＥＤを消灯させる。さらに、報知制御部１７は、通信レベル取得部１６が取得した通信レベルを第一報知部Ｄ１または第二報知部Ｄ２に報知させる。報知制御部１７の第一報知部Ｄ１および第二報知部Ｄ２に対する詳細な制御については、後述する。
【００５４】
記憶部１８は、例えば、フラッシュメモリあるいは半導体メモリ等、１または複数種類の任意の記憶部で構成される。記憶部１８には、上述したように、子機５０１〜５０ｎの識別情報と、無線中継装置１０の識別情報と、親機４０の識別情報とが記憶されている。
【００５５】
［１−４．報知部および報知制御部の動作］
報知制御部１７の第一報知部Ｄ１および第二報知部Ｄ２に対する制御について説明する。報知制御部１７は、通信レベルの確認モードのときに、以下の動作を行う。
【００５６】
報知制御部１７は、無線中継装置１０の動作モードが通信レベルの確認モードに変更され、予め登録された機器（親機４０および子機５０１〜５０ｎ）から送信されたテストデータを受信したときに、通信レベル取得部１６が取得した通信レベルを第一報知部Ｄ１および第二報知部Ｄ２に報知させる。
【００５７】
具体的には、報知制御部１７は、動作モードが通信レベルの確認モードに変更されると、無線通信部１４を用いてテストデータを受信する。テストデータ以外のデータに対する処理は行わない。
【００５８】
報知制御部１７は、テストデータの各々について、無線中継装置１０に向けて送信されたテストデータであるか否かを確認する。具体的には、上述したように、無線中継装置１０の識別情報が含まれる場合またはブロードキャストの場合に無線中継装置１０に向けて送信されたテストデータであると判定する。
【００５９】
報知制御部１７は、無線中継装置１０に向けて送信されたテストデータの各々について、送信元の識別情報を抽出し、送信元の機器の各々を、表示部（第一表示部Ｄ１０および第二表示部Ｄ２１〜２ｍ）のいずれかに対応づける。
【００６０】
報知制御部１７は、テストデータに親機４０の識別情報が含まれる場合、親機４０を第一表示部Ｄ１０に対応付ける。言い換えると、報知制御部１７は、第一表示部Ｄ１０を、親機４０と無線中継装置１０との間での通信における第一通信レベルの報知を行う表示部に決定する。
【００６１】
さらに、報知制御部１７は、テストデータに子機５０ｉの識別情報が含まれる場合、子機５０ｉを第二表示部Ｄ２１〜Ｄ２ｍのいずれかに対応付ける。言い換えると、報知制御部１７は、第二表示部Ｄ２１〜Ｄ２ｍの１つを、子機５０ｉと無線中継装置１０との間での通信における第二通信レベルの報知を行う表示部に決定する。
【００６２】
より詳細には、上述したように、子機から送信されるテストデータには、確認モードＭ１〜確認モードＭｍのいずれかを示す情報が含まれている。報知制御部１７は、確認モードＭ１を示す情報を含むテストデータを送信した子機を、第二表示部Ｄ２１に対応付けする。同様に、報知制御部１７は、確認モードＭ２〜Ｍｍを示す情報を含むテストデータを送信した子機を、第二表示部Ｄ２２〜Ｄ２ｍに対応付けする。言い換えると、報知制御部１７は、確認モードＭｊを示す情報を含むテストデータを送信した子機と無線中継装置１０との間での通信における通信レベルの報知を行う表示部を、第二表示部Ｄ２ｊに決定する。
【００６３】
報知制御部１７は、機器の各々と表示部のいずれかとを対応付けると、第一表示部Ｄ１０を用いて親機４０の第一通信レベルを報知し、第二表示部Ｄ２１〜Ｄ２ｍを用いて対応付けされた子機の第二通信レベルを報知する。
【００６４】
ここで、報知制御部１７は、第二表示部Ｄ２１〜Ｄ２ｍのいずれかに、複数の子機が対応付けされている場合は、時分割で通信レベルの報知を行っても構わない。
【００６５】
上述したように、例えば、図２に示す第一表示部Ｄ１０は１０個のＬＥＤで構成されており、通信レベルを０〜１０段階で表示することができる。報知制御部１７は、第一表示部Ｄ１０について、第一通信レベルが高いほど多くのＬＥＤを点灯させる。報知制御部１７は、第一表示部Ｄ１０において、点灯させるＬＥＤが右側に、消灯させるＬＥＤが左側に纏まって配置されるように、言い換えると、点灯させるＬＥＤと消灯させるＬＥＤとがばらばらに配置されないように、複数のＬＥＤの点灯と消灯とを決定する。
【００６６】
同様に、図２に示す第二表示部Ｄ２１〜Ｄ２ｍの各々は１０個のＬＥＤで構成されており、第二通信レベルを０〜１０段階で表示することができる。報知制御部１７は、第二表示部Ｄ２１〜Ｄ２ｍの各々について、対応する子機の第二通信レベルが高いほど、多くのＬＥＤを点灯させる。報知制御部１７は、第一表示部Ｄ１０の場合と同様に、第二表示部Ｄ２１〜Ｄ２４において、点灯させるＬＥＤが右側に、消灯させるＬＥＤが左側に纏まって配置されるように、複数のＬＥＤの点灯と消灯とを決定する。
【００６７】
なお、本実施の形態では、通信レベルの表示段階の数、および、各段階における通信レベルの範囲は、第一表示部Ｄ１０および第二表示部Ｄ２１〜Ｄ２ｍにおいて共通である。
【００６８】
報知制御部１７は、動作モードが通信レベルの確認モードから通常モードに切り替えられるまで、第一通信レベルおよび第二通信レベルの報知を行う。
【００６９】
［１−３．効果等］
上記実施の形態によれば、無線中継装置１０に、比較可能な状態で同時に親機４０および子機５０１〜５０ｍ（第二表示部の数ｍ分の子機）の通信レベルを確認することができる報知部を設けることにより、無線中継装置の設置位置の決定を支援することができる。これにより、通信レベルの確認にかかる手間を低減することができる。
【００７０】
ここで、比較可能な状態で同時にとは、人の目で見た場合を指す。
【００７１】
例えば、ＷｉＦｉの場合、ＰＣ等の外部機器上で通信レベルを確認できるが、無線中継装置において確認できないため、無線中継装置を動かすたびに外部機器上で確認する必要が生じ、無線中継装置の設置位置を決めるのに手間がかかる。また、無線機器には、ＷｉＦｉのように通信レベルを他の外部機器上で確認できない機器もある。
【００７２】
上記実施の形態の無線中継装置１０は、無線中継装置１０上で、親機４０および子機５０１〜５０ｍの通信レベルを比較可能な状態で同時に確認できるので、無線中継装置の設置位置の決定にかかる手間を低減できる。また、複数の機器の通信レベルを比較可能な状態で同時に報知するので、複数の機器の通信レベルを考慮して、無線中継装置の最適な設置場所が選択できる。
【００７３】
また、上記実施の形態では、親機４０および子機５０１〜５０ｍと表示部とを１対１に対応させている。このように構成すれば、機器と表示部との対応が容易に分かる。
【００７４】
上記実施の形態では、予め登録された機器について、通信レベルの確認を行っている。このように構成すれば、無線中継装置１０との間で無線通信を行わない機器に対する通信レベルの確認が実行されないようにすることができる。あるいは、上記実施の形態では、無線中継装置１０からの指示により動作モードを変更させるように構成されている場合において、無線中継装置１０との間で無線通信を行わない機器の動作モードが、通信レベルの確認モードに変更されてしまうのを防止できる。
【００７５】
［１−４．通信レベルの確認モードの変形例］
上記実施の形態では、親機４０および子機５０１〜５０ｎの全てについて通信レベルの確認を行う場合を例に説明したが、これに限るものではない。
【００７６】
例えば、親機４０および子機５０１〜５０ｎの変更および追加を任意に設定することができるように構成しても構わない。
【００７７】
この場合、既に通信レベルが確認されている機器の一部または全部について、通信レベルの確認を行わない機器（つまり、固定する機器、変更および削除を行わない機器）を任意に指定できるように構成しても構わない。
【００７８】
図４は、変形例にかかる通信レベルの確認を説明する図である。図４では、親機４０の通信圏内において（親機４０を固定して）、子機５０１〜５０ｎの通信レベルの確認を行う場合を示している。
【００７９】
具体的には、報知制御部１７は、通信レベルの確認モードの移行前あるいは移行時に、固定する機器を指定するデータを第一表示部Ｄ１０および複数の第二表示部Ｄ２１〜Ｄ２ｍごとに設けられたディップスイッチあるいは外部指示により受け付ける。
【００８０】
報知制御部１７は、固定することを指示された機器については、通常モードで無線通信を行う。図４の場合、無線中継装置１０は、親機４０に対しては通常モードで無線通信を行う。無線中継装置１０は、子機に対しては、テストデータの受信および通信レベルの報知を行う。
【００８１】
報知制御部１７は、固定することが指定されなかった機器については、通信レベルの確認モード時に、当該機器と報知部１３との対応付けを解除しても構わない。
【００８２】
報知制御部１７は、報知部と機器との対応付けにおいて、固定された機器に対応付けられていない（対応付けられている機器の数が少ない）報知部に、新たに通信レベルの確認を行う機器を優先的に対応付けるように構成しても構わない。
【００８３】
このように構成すれば、親機４０あるいは子機５０１〜５０ｎの一部を変更する場合、子機を追加する場合等に、通信レベルを確認済みの機器の全部について通信レベルの確認モードにする必要が無くなり、通信レベルの確認にかかる手間を低減できる。
【００８４】
［１−５．報知部の変形例］
上記の実施の形態では、報知部１３を構成する第一報知部Ｄ１および第二報知部Ｄ２が複数のＬＥＤである場合について説明したが、これに限るものではない。
【００８５】
報知部１３は、例えば、単体のＬＥＤ、液晶ディスプレイ等の表示画面、音声等であっても構わない。
【００８６】
単体のＬＥＤの場合、例えば、通信レベルが高いほど、点滅の間隔を短くする（通信レベルが基準レベル以上の場合は常時点灯）ことが考えられる。
【００８７】
液晶ディスプレイ等の表示画面の場合、通信レベルを示す指標値、棒グラフ等、親機４０および子機５０１〜５０ｍの通信レベルを、人の目で見て比較可能な状態で表示するように構成しても構わない。
【００８８】
また、複数種類の報知部を組み合わせても構わない。
【００８９】
（その他の実施の形態）
以上、本発明に係る移動体空間用照明について、上記実施の形態及びその変形例に基づいて説明したが、本発明は、上記の実施の形態に限定されるものではない。
【００９０】
上記実施の形態では、通信レベルの確認モードに移行した場合に、通信レベルの報知を行うとしたが、これに限るものではない。登録済みの機器については、常時通信レベルを報知するように構成しても構わない。この場合において、通信レベルの報知を行う機器を外部から指定できるように構成しても構わない。
【００９１】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００９２】
１    無線通信システム
１０  無線中継装置
１３  報知部
１７  報知制御部
４０  親機（第一無線通信装置）
５０１、５０ｉ  子機（第二無線通信装置）
Ｄ１    第一報知部
Ｄ２    第二報知部
【図１】
2016163323.tif 000003
【図２】
2016163323.tif 000004
【図３】
2016163323.tif 000005
【図４】
2016163323.tif 000006